(57)【要約】【課題】緊急時に移設をして浸水防止の土嚢として転用する駐輪ブロックには、初期設置、移設、及び復元作業における簡便さが要求される。【解決手段】駐輪ブロックの排水溝を構成する断面を台形とする空間を利用して、当該空間の上底にあたる本体側に、ブロックの位置決めにもなる挿入金具を予め装着し、  一方、前記挿入金具の頭部を落とし込むための丸穴２２が平面に開孔され、前記断面の台形の脚に沿って加工した台座２１とともに、床面に固定するアンカーボルト穴２６を開孔した平面２３と、ブロックの転倒防止目的からブロック側面支持ガイド２４、及び排水溝内上底支持ガイド２５とから成る駐輪ブロック設置板を形成し、  タイヤ溝を決する間隔で、前記設置板にアンカーボルトにて固定して、一対の駐輪ブロックをそれぞれに落し込むことで、設置を完了し、且つ、容易な移設や復元作業の簡便さも具現化できる。【選択図】図１
2018204414.tif 000002
【特許請求の範囲】
【請求項１】
駐輪場に設置され、三角柱の形状を呈する駐輪ブロックを、移設して浸水防止の土嚢として転用するにあたり、
駐輪における初期設置では、自転車の前輪を進入させるタイヤ溝を創出すべく一対のブロック各々を、それぞれ床面へ配置するために、前記ブロックの底面中央位置で横方向に帯状にて配備され、屋外設置の際には排水機能を掌り、ブロックの設置や移設時に指の差し込み代としての役割も兼ねている断面を台形とする空間（以下、台形空間と略す。）を備えた排水溝の活用を試み、
まず、前記排水溝の台形空間の上底に相当するブロック本体側には、予め取り付けインサートを内封して成型し、当該インサートにブロックの位置決めとなる挿入金具、例えば、ネジ部と締め付け機能を有するキャップボルトのような頭部を円形とする金具をネジ込んだ状態にて装着・準備し、
一方で、前記挿入金具の頭部を落とし込むための丸穴が平面中央に開孔され、前記排水溝の台形空間の脚に沿った形状にて折り曲げた四角形の台座とともに、床面に固定するためのアンカーボルト穴を開孔した平面と、ブロックの転倒防止目的からブロック側面支持ガイド、及び排水溝内上底側支持ガイドとから成る駐輪ブロック設置板を一枚の金属板にて形成し、
利用する自転車のタイヤ幅に応じた溝寸法を決定し、また２台以上収納の際には、その駐輪間隔をも推定して、駐輪スペースの床面に前記駐輪ブロック設置板の一対を、アンカーボルトにて固定して、それぞれのブロックを、上記したブロック側面支持ガイドに沿って、ブロックの位置決めとなる挿入金具を、上述の台座平面に開孔された丸穴に落し込むことで、ブロックの自重も加味されて、駐輪におけるタイヤ溝の幅や、並列する自転車の間隔にも自由な選択肢を持った駐輪器具としての初期設置を容易に完了できることを特徴とする駐輪ブロックの設置方法。
【請求項２】
一枚の金属板にて形成する駐輪ブロック設置板の役割として、
排水溝の両端に指を差し込んで作業する際に挟まないような間隔を残した高さにて、ブロック本体側に準備した挿入金具の頭部を落とし込むための丸穴を中央に開孔し、前記排水溝の台形空間の脚に沿った形状にて折り曲げられて、四角形の平面を構成する台座には、上記した挿入金具の頭部を挿入させ、前記した台形空間の内面を受け止めることで、駐輪ブロックとしての位置決めとともに、床面に配備したブロック自体の回転を防止する機能と、同一金属板に前記台座に連結して、前記台形空間の下底の位置に設けられた平板には、開孔されるアンカーボルト穴を介して、アンカーボルトにて床面へ固定する機能を有し、
また、前記したアンカーボルト穴が開孔された平面の両端をハの字型に上方に立ち上げ、且つ、その先端部分にわずかに折り曲げた平面を形成して、ブロック本体の側面と接する支持部位を広めて、外側への横転を防止するとともに、ブロックの落し込み動作の位置案内における目安をも兼ねているブロック側面支持ガイドと、タイヤ溝側へのブロック転倒を防止するために、上記排水溝の台形空間にてブロック本体の上底部位を下方から支持する効果を示す排水溝内上底側支持ガイドの双方を以って、ブロックの横転防止機能が発揮され、
さらに、排水溝の当初からの目的でもある排水機能を保持するために、
上述の排水溝の台形空間の脚に沿って折り曲げた脚部の底辺幅寸法よりも、高低差のある斜め板で連結されたアンカーボルト用の穴を開孔した平面の幅寸法を短くすることで、前記斜め板の部分にて三角形の流路が創出されて、ブロックの外周部への排水を可能とできるようにと、一枚の金属板にて形成する駐輪ブロック設置板を採用することで、駐輪場への設置においては、それぞれの機能が確保されていることを特徴とする請求項１記載の駐輪ブロックの設置方法。
【請求項３】
上述の如く駐輪器具として設置したブロックを緊急時に移設するには、駐輪する自転車の前輪を後退させて作業空間を設けて、ブロック排水溝の両端に指を差し込んで、設置板を残した状態で、当該設置板から、前記ブロック単体を一個づつ確実に持ち上げて、移動させるので、作業が容易となり、
復元作業に関しても、前記設置板が残された状態であるために、初期設置と同様に、ブロック側面支持ガイドに沿って、ブロックの位置決めとなる挿入金具を、設置板の台座平面に開孔された丸穴に落し込んで設置が完了できることで、初期設置、緊急時の移設、及び復元のすべての作業において簡便さを具現化できることを特徴とする請求項１、及び２記載の駐輪ブロックの設置方法。
【発明の詳細な説明】
【技術分野】
【０００１】  本発明は、浸水防止の土嚢として転用可能な駐輪ブロックの設置方法に関する。
【背景技術】
【０００２】  従来の駐輪ブロックには、緊急時における浸水防止対策の防災器具として、移設して利用する製品がすでに開発されている。（例えば、特許文献１参照）
また、防災における水害対策の技術としては、建屋入り口のシャッターに対応する浸水防止器具（例えば、非特許文献１参照）や、自治体のホームページ（例えば、非特許文献２参照）にも簡易防水工法が公開されている。【０００３】  数年に一度あるか否かの集中的なゲリラ豪雨などによる急な増水に対応するため、迅速な移設作業が要求される中で、日常的には駐輪場において図４に示すが如く斜め方向にてタイヤ溝を構成して配備・備蓄された駐輪ブロックを容易に移設して、比重の大きな土嚢として利用、別途に保管された型枠、防水シートおよび吸水土嚢などと組み合わせる浸水防止器具への転用は、仮設工法として効果的である。【０００４】  上述のように駐輪ブロックとして初期設置した概要の説明を受けていない人々が、緊急時の移設作業は容易にできても、水位が下がった状態では、当然ながら、元に位置への復元作業の難題が待ち受けられている。
【先行技術文献】
【特許文献】
【０００５】
【特許文献１】特開２０１６−０７５１３３  公報  駐輪及び防止兼用器具
【非特許文献】
【０００６】
【非特許文献１】「文化シャッター株式会社  止水製品シリーズ」、簡易型止水シート  止めピタ
【０００７】
【非特許文献２】「大分市ホームページ」、家庭でできる浸水対策
【発明の概要】
【発明が解決しようとする課題】
【０００８】  従来の駐輪と防災の器具を兼用する駐輪ブロックには、タイヤ幅の異なる自転車に対応するタイヤ溝の相違や、駐輪間隔の決定においても、それぞれ異なった部品が必要なことから、設置部品の点数が多くなることや、当該部品が、床面に固定しないイベント時の平地利用を想定する設置方法でもあったことから、移設期間中における設置部品の保管や管理と、元の位置への復元作業に、簡便さに欠ける課題があった。【０００９】  また、駐輪ブロックの排水溝が台形状の窪みを呈している状態のみであると、比重が比較的小さなポリマー利用の吸水土嚢を、前記駐輪ブロックと防水シートとの間に挟んで固定して浸水防止するに、基点とできる突起部がないので、結束が不安定となり、その状態で避難すると、濁流の水圧によっては、流される可能性もあり、浸水防止器具として防水壁を構成するには、より一層の確実性が求められる。【００１０】  本発明は、このような従来構成が有していた問題を解決しようとするものであり、一枚の金属板にて形成する駐輪ブロック設置板（以下、駐輪ブロック設置板と略す。）を導入し、駐輪スペースへの初期設置において当該設置板を床面にアンカーボルトにて固定することで、イベント時の平地利用は不可となる不便さは生じるが、駐輪におけるタイヤ溝の幅や、並列する自転車の間隔にも自由な選択肢を持った駐輪器具として有効であり、
加えて、防水シートに付随して防水壁を構成を構成する吸水土嚢を、短時間で容易に配置して、濁流による流失を防ぐためには、駐輪ブロックの排水溝の内面に突起する部位となる挿入金具を基点とすることで、容易な結束を以って、確実な固定ができ、移設時における防災器具としての機能を、より効果的なものとすることができる。
【課題を解決するための手段】
【００１１】  そして、本発明は上記目的を達成するために、駐輪ブロック単体の底面中央位置で横方向に帯状にて配備され、屋外設置の際に排水機能を掌り、ブロックの設置や移設時に指の差し込み代としての役割も兼ねている断面を台形とする空間（以下、台形空間と略す。）を備えた排水溝を活用する設置手法に着目し、
ブロック本体側には、予め取り付けインサートを内封して成型し、ブロックの位置決めとなる挿入金具をネジ込んだ状態にて装着・準備して、アンカーボルトにて床面に固定された上記駐輪ブロック設置板の台座へと落し込むことで、初期設置の作業完了とするものである。【００１２】  ここで、上記した駐輪ブロック設置板は、上記ブロックの位置決めとなる挿入金具として利用するキャップボルトの頭部を落とし込むための丸穴を平面に開孔し、上記排水溝の台形空間の脚に沿った形状にて折り曲げて加工される台座とともに、床面に固定するアンカーボルト穴を開孔した平面と、ブロックの転倒防止目的からブロック側面支持ガイド、及び排水溝内上底側支持ガイドとが、一体化した構成で形成されている。【００１３】  尚、初期設置における上記駐輪ブロック設置板には、
上記排水溝に指を差し込んで作業する際に挟まないような間隔を残した高さにて、排水溝の断面で空間を構成する台形の脚に沿って折り曲げた脚部を伴って形成され、中央部には丸穴が開孔された四角形の平面から成り、前記排水溝の内面を受け止めるための台座は、上記挿入金具による位置決めとともに、床面におけるブロック自体の回転防止機能を有し、同一金属板を以って前記台座に連続して設けられた平板に開孔されるアンカーボルト穴を介して、アンカーボルトにて、床面への固定機能をも有している。【００１４】  また、駐輪器具としての設置条件であるブロックの横転防止機能としては、
前記したアンカーボルト穴が開孔された平面の両端をハの字型に上方に立ち上げ、且つ、その先端部分にわずかに折り曲げた平面を形成して、ブロック本体の側面と接する支持部位を設けて外側への横転防止とともに、ブロックの落し込み動作の位置案内における目安をも兼ねているブロック側面支持ガイドと、
タイヤ溝側へのブロック転倒を防止するために、排水溝の台形空間である上底部位を下方から支持する役割を果たす排水溝内上底側支持ガイドの双方にて実行され、
もう一つ当初からの目的でもある排水溝としての役割を保持するために、
上述の排水溝の断面で空間を構成する台形の脚に沿って折り曲げた脚部の底辺幅寸法よりも、高低差のある斜め板で連結されたアンカーボルト用の穴を開孔した平面の幅寸法を短くすることで、前記斜め板の部分にて三角形の流路が創出されて、ブロックの外周部への排水を可能とできる機能も継続されている。
【発明の効果】
【００１５】  上述したように本発明の駐輪ブロック設置方法は、
日常的には自転車の整理整頓に向けて駐輪場に設置・備蓄される駐輪ブロックを、ゲリラ豪雨などの緊急時には、移設して浸水防止の土嚢として転用するにあたり、初期設置はもとより、移設作業の容易さに加えて、水位が下がった状態における元の位置への復元作業での簡便さの面では、上記駐輪ブロック設置板が床面に固定された状態にあるために、明解である。【００１６】  また、本発明にて開発された上記駐輪ブロック設置板は、
上述した三角柱の形状を呈する駐輪ブロック単体に対して一個の設置板を使用し、それらの一対を一組として設置するために、駐輪する自転車のタイヤ幅に応じたタイヤ溝寸法も、また２台以上収納の際には、その駐輪間隔をも、固定するアンカーボルトの配置寸法を選択することで、自由に決定することが可能となり、初期設置の対応でも有効である。【００１７】  移設して防水器具として設置して避難するにあたり、
駐輪ブロックと防水シートとの間に挟んで利用するポリマー利用の吸水土嚢を固定するためには、駐輪ブロックの排水溝の台形空間に突起する基点として、ブロックの位置決めとなる挿入金具を設けることで、当該金具を中心に紐などで確実な結束と固定が可能となり、濁流の水圧による流失を防止できるようになる。
【図面の簡単な説明】
【００１８】
【図１】一枚の金属板で形成される駐輪ブロック設置板の斜視図
【図２】コンクリート製駐輪ブロックの製作事例である指示図面
【図３】挿入金具として採用する六角穴付きキャップボルトの形状図
【図４】一対の駐輪ブロックの外形と配置位置関係を示す斜視図
【図５】一枚の金属板で形成される駐輪ブロック設置板の製作事例である指示図面
【発明を実施するための形態】
【００１９】  以下、本発明の実施の形態を図１〜図５に基づいて説明する。
【実施例】
【００２０】  図１は、駐輪ブロック設置板の斜視図であり、
ブロック本体側に予め装着されたブロックの位置決めにもなる挿入金具の頭部を落とし込むための丸穴２２が平面に開孔され、前記断面の台形の脚に沿って加工した台座２１とともに、床面に固定するアンカーボルト穴２６を開孔した平面２３と、ブロックの転倒防止目的からブロック側面支持ガイド２４、及び排水溝内上底側支持ガイド２５とから形成される駐輪ブロック設置板の仕上形状を示すものである。【００２１】  通常、図４に示すような配置位置関係でタイヤ溝を形成して駐輪場に設置される形状が三角柱を呈する駐輪ブロックは、コンクリート製のケースでは、図２の指示に基づいて製作される中、まず、金型の設計製作から始めて、前記ブロックの位置決めにもなる挿入金具を装着するために、排水溝の台形空間１１の上底にあたる本体側に、予め規格ネジ内径Ｍ１０の取り付けインサート１２を内封して成型し、ブロックの位置決めとなる挿入金具として、図３の六角穴付きキャップボルト１３規格サイズＭ１０をネジ込んで準備する。【００２２】  ここで、コンクリート製に代わって、御影石などの石材を素材とする時には、研削・研磨の過程において、外形の仕上形状は相似して製作できるが、取り付けインサート１２の内封は不可能であるために、上記挿入金具であるキャップボルト１３を固定するためにドリルにて穴を開けて、接着剤にて装着する。【００２３】  また、今回の図５における事例では、厚さ１．５ｍｍのステンレス製板を使用し、上記のようにキャップボルト１３には、Ｍ１０を選択し、当該キャップボルト１３の頭部を落とし込むための丸穴２２を四角形の平面に内径１６．３ｍｍにて開孔し、ブロックの排水溝の台形空間１１の脚に沿って加工されて、当該台形空間の内面を受け止める台座２３の高さを決定するために、図５における製作事例の指示図面においては、上記排水溝に指を差し込んで作業する際に挟まないような間隔を残した高さを、床面から９ｍｍとして、仮に前記キャップボルト１３が緩んでも、その規格寸法である頭部の厚さ１０ｍｍよりも短くすることで、駐輪ブロック単体１０の位置ズレがないように設計されており、さらに、キャップボルト１３と台座２３の金属による衝撃を緩和する目的で、当該キャップボルト１３の形状として、頭部外径を標準の１６ｍｍから小頭サイズの１３ｍｍに変更して、樹脂またはゴム製の外形１６ｍｍチューブを採用することも可能である。【００２４】  駐輪ブロック設置板において、当該設置板を床面に固定するアンカーボルト穴２６を開孔した平面２３は、床面への固定に加えて、当該平面の両端を延長する位置で、ハの字型に上方に立ち上げ、且つ、その先端部分にわずかに折り曲げた平面を形成し、ブロック本体の側面と接する支持部位を設けてブロック側面支持ガイド２４を構成する外側への横転防止の役割とともに、ブロックの落し込み動作における上記ブロック本体の側面との位置決めをする目安をも兼ねている。【００２５】  一方で、タイヤ溝側へのブロック転倒を防止するための施策としては、
上述のアンカーボルト穴２６を開孔した平面２３の反対側に、排水溝の台形空間１１の上底部位を下方から支持する役割を果たす排水溝内上底側支持ガイド２５を形成するが、より効果的な転倒防止として、前記台形空間１１の上底部位を面にて支持するために当該支持ガイド２５の先端をＬ字形に曲げて平面を形成して、受ける荷重の面積を拡大できることも確認している。【００２６】  駐輪スペースでの初期設置に関しては、タイヤ幅を確認して、一対となるべく駐輪ブロック設置板の間隔を決定して、複数台となるときには駐輪の間隔を推定して、２台目以降の配置を決定する必要があり、ハンドル幅の長さからは、その間隔は６００ｍｍが利用しやすい寸法である。【００２７】  上記の駐輪ブロックを防水器具の土嚢として利用するにあたっては、土や砂を袋に入れる土嚢と比較して、比重も大きく、三角柱を呈する形状が一定であることで、市販されているブルーシートなどの防止シートを組み合わせて、両端部に吸水土嚢とともに当該ブロックを配備して遮断壁を構成し、流水を防止するためには、前記防水シートの上下に配備する板材や、前記吸水土嚢に加えて、前記防水シートを仮止め可能な粘着テープなども保管する必要がある。【００２８】  特に、地盤の低い土地で、浸水が発生しやすい地域では、上記した防水シートや板材、および吸水土嚢などの保管場所を確認する意味で、定期的な防災訓練を実施して駐輪ブロックの移設と、復元の作業を実施することを推奨する。
【産業上の利用可能性】
【００２９】  まず、本発明における土嚢として利用が可能で、駐輪ブロックとして駐輪スペースに備蓄を検討する背景には、近年の異常気象による集中的なゲリラ豪雨の発生に伴って、短時間で、多くの雨量を記録するケースもあり、地盤の低い土地以外でも、排水が間に合わずに床下浸水を発生するために、駐輪場における土嚢としての備蓄は、有効な手法である。【００３０】  特に社会的な背景としても、火災保険の特約である防水保険の内容では、床下浸水は４５ｃｍ以下の浸水は適用除外となっていることもあり、建物の出入り口以外に、戸建て住宅などの床下換気口からの浸水を想定すると、吸水土嚢に加えて比重の重い駐輪ブロックの効果には期待できるものがあり、避難勧告などで、家を離れる場合でも、駐輪ブロックの排水溝に装着された挿入金具を、ヒモを介して吸水土嚢の縛り付け基点とすることで、当該吸水土嚢の流失などへの不安も解消でき、仮に、保険の対象外である床下浸水の被害総額と比較すると、効果的な備蓄品でもある。【００３１】  以上では、コンクリート製や石材を利用する駐輪ブロックを述べてきたが、コンクリート製では、複数台の駐輪スペースを設置する場合には、駐輪位置を示す番号や色の相違をした区分も必要となるが、塗装による識別や、道路の案内表示をする樹脂製の粘着シートなどをブロック上面に貼付けする利用方法もある。【００３２】  また、石材を利用する場合にも指定したロゴや家紋などを追加して彫り込むことで、所有者の識別をすることができ、このような手法は盗難防止対策としても有効である。【００３３】  特に、コンクリート製のブロックでは、塗装などに加えて、図２に示すように、ブロックでタイヤ進入側の広い面に、樹脂製の反射板取り付けスペースを内封して成型し、そこに黄色、赤、青、及び緑などの樹脂製の反射板を填め込んで、夜間の駐輪における位置確認と、当該反射板の色による識別も可能となり、あるいは、盗難対策としても、反射板の内面に、記録可能なＩＣチップを封入して、所有者や製造番号などを記録させて、盗難防止に対応する提案もできる。【００３４】  駐輪ブロックとしての設置方法に関しても、複数台の駐輪ブロックの配置では、タイヤ溝の前後に、前輪を進入させて駐輪する際にタイヤ位置を確認できる微細な段差を設けるための段差ステップや、金属製などのアングルと、ゴムや樹脂製のシートを組み合わせる施工による段差を設けたり、さらには、各自転車の駐輪枠を確認するために線引きによる表示ラインをするなどの追加工事をすることで、利用者の視覚による理解を得られやすい駐輪スペースの設置をみることができる。【００３５】  また、駐輪や防水以外の用途では、震災や増水などによる避難を余儀なくされた際に、避難所において高齢者が休息するための椅子としての利用を提唱される防災を研究する識者もおられることから、日常からの汚れ対策として、駐輪ブロック自体に酸化チタン材を塗布して、光触媒の雨水による洗浄効果に期待する表面処理方法も検討することができる。
【符号の説明】
【００３６】１０、駐輪ブロック単体
１１、排水溝を構成する断面を台形とする空間（台形空間）
１２、挿入金具の取り付けインサート
１３、挿入金具に採用するネジ部と締め付け機能を有する六角穴付きキャップボルト
１４、反射板取り付けスペース
１５、樹脂製の反射板
２１、断面の台形の脚に沿って加工した台座
２２、挿入金具の頭部を落とし込むための丸穴
２３、アンカーボルト穴を開孔した平面
２４、ブロック側面支持ガイド
２５、排水溝内上底部支持ガイド
２６、アンカーボルト穴
３１、反射板取り付けスペース
３２、反射板
【図１】
2018204414.tif 000003
【図２】
2018204414.tif 000004
【図３】
2018204414.tif 000005
【図４】
2018204414.tif 000006
【図５】
2018204414.tif 000007